(57)【特許請求の範囲】
【請求項１】
モータにより連動して回転駆動される複数のローラによりシート状壁装材を所定の経路に沿って移動させつつ糊桶内の糊を糊付けローラにより前記壁装材の裏面に連続的に塗布する壁紙糊付機本体と、この糊付機本体の後部に着脱可能に装着され、引き入れられる前記壁装材の両縁部を連続的に裁断するスリッター部とを備えた壁紙糊付機において、
前記スリッター部に至る前記壁装材の搬送経路中に配置されてこの搬送経路を通過する壁装材を屈曲させる少なくとも２本のテンションバー群を備え、
前記テンションバー群が、
前記スリッター部の下方で糊付機本体後面の両側に配設された一対のテンションバー保持具と、
前記保持具の各々に保持される一対の円管部と、これら一対の円管部の間に段違い状に配された第１テンション部と、一対の円管部とテンション部とを連結する一対の連結板からなる第１テンションバーと、
前記第１テンションバーのテンション部の両端に装着された一対の装着部と、これら装着部の間に配され前記第１テンションバーの円管部と同一軸線上に配設可能な第２テンション部とからなる第２テンションバーとを備えたことを特徴とする壁紙糊付機。
【請求項２】
前記第１テンションバーの連結板の各々に、第１テンション部を一対の円管部の直下に対して後方に保持するために前記糊付機本体の後部又は脚部に当接する当接片を備えたことを特徴とする請求項１に記載の壁紙糊付機。
【請求項３】
前記第１テンションバーの一対の連結板の対向する箇所に、第２テンションバーの第２テンション部を円管部と同一軸線上に保持させる一対の掛止片を備え、
前記第２テンションバーの一対の装着部の外方に前記掛止片の各々に掛合する被掛止具が備わっていることを特徴とする請求項１又は２に記載の壁紙糊付機。
【発明の詳細な説明】
【技術分野】
【０００１】
本発明は、室内壁面等に貼付されるシート状壁装材の裏面に連続的に糊を塗布する壁紙糊付機に関するものである。
【背景技術】
【０００２】
現在、建築物の内装施工における壁装材の室内壁面への貼付は、内装作業現場で専用の壁紙糊付機を用いてシート状の壁装材に連続的に糊を塗布しながら行うのが一般的となっている。この壁紙糊付機の一般的な構成としては、内部に複数のロールが配置された上部構体及び下部構体から主に構成される糊付機本体を脚部に支持された台座上に載置し、上下構体の間に挟み込んだシート状壁装材（以下、クロスとも記す）をロールで搬送しながら糊タンク内に軸支されている糊掻上げロールで糊タンクから糊をすくい上げて糊付けロールに転写し、この糊付けロールによりクロス裏面に塗付するものである。
【０００３】
壁紙糊付機には作業者がクロスを引き出す手動式と、モータで糊付けロール等を駆動してクロスを引き出す自動式がある。具体的な構成の一例としては、下部構体上に原反ロールから繰り出したクロスを先端部が本体前面に垂れる状態で載置して上部構体を閉じ、下部構体及び上部構体の所定ロール間にクロスを挟み込んだ状態としておく。手動式装置ではクロス先端を作業者が手で持って前方へ引っ張ることによりロールの一部を追従回転させると共に他のロールをギアを介して連動回転させる。
【０００４】
自動式装置では所定のロールの軸を電動モータ等の駆動源に連結して回転させることによって他のロールもギアを介して連動回転するものが一般的である。何れの糊付機もロールの回転でクロスを糊付機本体の後面から前面側へ搬送させる途中で糊タンク内から引き上げられて転写された糊を、糊付ロールの頂点近傍にて該ロールからクロス裏面に糊が転写され、糊塗布済み状態でクロスが前面から送り出されてくるという構成である。
【０００５】
このような壁紙糊付機においては、本体部後方に支持されて糊付機本体部へ向かう糊付前の壁装材に張力を付与するために、壁装材の搬送経路位置でこの壁装材に当接する１本以上のテンションバーを備えている（例えば、特許文献１参照）。
【０００６】
このような従来の壁紙糊付機においては、高機能でありながら、軽量化・コンパクト化を達成するため、複数のローラのローラ部有効幅長さを従来の糊付機よりも短くし、尚且つ、スリッター部が糊付機本体から飛び出すのを抑えるため、糊付機本体後面に本体幅方向に形成された凹状の装着開口部を備え、この凹状の装着開口部にスリッター部の前方部が陥入して取付け可能な形状とした糊付機（商品名「Fresco」）を販売するに至っている。
【０００７】
図９は軽量化・コンパクト化を達成した糊付機のテンションバー群の動作を含む本体部側部断面図である。図９に示す通り、この糊付機９１においては、スリッター部９７が糊付機９１本体内部へ埋め込まれるような構成であることより、巻き直しや耳部が潰れた壁装材９Ｃの場合には糊付機９１後部から壁装材を引き入れる際にテンションが旨く掛からない問題を解決するために成されたものである。
【０００８】
具体的には、、スリッター部９７に至る壁装材９Ｃの搬送経路中に設置されるこの搬送経路を屈曲させるテンションバー群９６が、糊付機９１本体の幅方向に装着される第２テンションバー９３と、この第２テンションバー９３の両端部に回動可能に接続された一対のテンションバー保持具９４と、第２テンションバー９３の下方に一対のテンションバー保持具９４によって両端部を保持された第１テンションバー９２とを備えるものを提案した。尚、図９においては、より多くのテンションをかけるために、脚部テンションバー９５及びスリッターテンションバー９８も備えている。
【先行技術文献】
【特許文献】
【０００９】
【特許文献１】特開２００５−３４２９９０号公報
【発明の概要】
【発明が解決しようとする課題】
【００１０】
このような第１テンションバー９２及び第２テンションバー９３を備えた壁紙糊付機においては、壁装材９Ｃを装着する際に、第１テンションバー９２で糊付面側を当接させ、第２テンションバー９３に表層面側を当接させてスリッター部９７に導入される。この際に、第２テンションバー９３と糊付機本体の背面との間が狭く、そのため、壁装材９Ｃを導入し難く、より簡便な操作で装着することの要望が現場の作業者からあった。
【００１１】
本発明は、糊付機後部から壁装材を引き入れる際に簡便な操作で装着することができ、テンションが旨く掛かるようなテンションバーを備えた壁紙糊付機を得ることを目的とし、特にスリッター部が糊付機本体内部へ埋め込まれるような構成の壁紙糊付機において、テンションが旨く掛かるようなテンションバーを簡便な操作で装着することができる壁紙糊付機を得ることを目的とする。
【課題を解決するための手段】
【００１２】
請求項１に記載された発明に係る壁紙糊付機は、モータにより連動して回転駆動される複数のローラによりシート状壁装材を所定の経路に沿って移動させつつ糊桶内の糊を糊付けローラにより前記壁装材の裏面に連続的に塗布する壁紙糊付機本体と、この糊付機本体の後部に着脱可能に装着され、引き入れられる前記壁装材の両縁部を連続的に裁断するスリッター部とを備えた壁紙糊付機において、
前記スリッター部に至る前記壁装材の搬送経路中に配置されてこの搬送経路を通過する壁装材を屈曲させる少なくとも２本のテンションバー群を備え、
前記テンションバー群が、
前記スリッター部の下方で糊付機本体後面の両側に配設された一対のテンションバー保持具と、
前記保持具の各々に保持される一対の円管部と、これら一対の円管部の間に段違い状に配された第１テンション部と、一対の円管部とテンション部とを連結する一対の連結板からなる第１テンションバーと、
前記第１テンションバーのテンション部の両端に装着された一対の装着部と、これら装着部の間に配され前記第１テンションバーの円管部と同一軸線上に配設可能な第２テンション部とからなる第２テンションバーとを備えたことを特徴とするものである。
【００１３】
請求項２に記載された発明に係る壁紙糊付機は、請求項１に記載の第１テンションバーの連結板の各々に、第１テンション部を一対の円管部の直下に対して後方に保持するために前記糊付機本体の後部又は脚部に当接する当接片を備えたことを特徴とするものである。
【００１４】
請求項３に記載された発明に係る壁紙糊付機は、請求項１又は２に記載の第１テンションバーの一対の連結板の対向する箇所に、第２テンションバーの第２テンション部を円管部と同一軸線上に保持させる一対の掛止片を備え、
前記第２テンションバーの一対の装着部の外方に前記掛止片の各々に掛合する被掛止具が備わっていることを特徴とするものである。
【発明の効果】
【００１５】
本発明は、糊付機後部から壁装材を引き入れる際に簡便な操作で装着することができ、テンションが旨く掛かるようなテンションバーを備えた壁紙糊付機を得ることができ、特にスリッター部が糊付機本体内部へ埋め込まれるような構成の壁紙糊付機において、テンションが旨く掛かるようなテンションバーを備えた壁紙糊付機を得ることができるという効果がある。
【図面の簡単な説明】
【００１６】
【図１】本発明の一実施例の壁紙糊付機の側面図である。
【図２】テンションバー群の構成を含む背面側斜視図である。
【図３】テンションバー群の構成を示す斜視図である。
【図４】図３のテンションバー群の第１テンションバーの構成を示す斜視図である。
【図５】図３のテンションバー群の第２テンションバーの構成を示す斜視図である。
【図６】別のテンションバー群の構成を示す斜視図である。
【図７】図６のテンションバー群の第１テンションバーの構成を示す斜視図である。
【図８】図６のテンションバー群の第２テンションバーの構成を示す斜視図である。
【図９】軽量化・コンパクト化を達成した糊付機のテンションバー群の動作を含む本体部側部断面図である。
【発明を実施するための形態】
【００１７】
本発明においては、好ましくは糊付機本体後面に本体幅方向に形成された凹状の装着開口部を備え、スリッター部の前方部が凹状の装着開口部内に陥入して取付け可能な形状のスリッタ部を備えた壁紙糊付機であり、スリッター部に至る前記壁装材の搬送経路中に配置されてこの搬送経路を通過する壁装材を屈曲させる少なくとも２本のテンションバー群を備える。
【００１８】
このテンションバー群として、スリッター部の下方で糊付機本体後面の両側に配設された一対のテンションバー保持具と；保持具の各々に保持される一対の円管部と、これら一対の円管部の間に段違い状に配された第１テンション部と、一対の円管部とテンション部とを連結する一対の連結板からなる第１テンションバーと；第１テンションバーのテンション部の両端に装着された一対の装着部と、これら装着部の間に配され前記第１テンションバーの円管部と同一軸線上に配設可能な第２テンション部とからなる第２テンションバーとを備えるため、糊付機後部から壁装材を引き入れる際に簡便な操作で装着することができ、テンションが旨く掛かることができる。
【００１９】
好ましくは、本発明のテンションバー群の第１テンションバーの連結板の各々に、第１テンション部を一対の円管部の直下に対して後方に保持するために前記糊付機本体の後部又は脚部に当接する当接片を備える。これにより、壁装材の搬送経路が第１テンションバー及び第２テンションバーで大きく屈曲されることになり、良好なテンションをかけることができる。
【００２０】
更に好ましくは、本発明の第１テンションバーの一対の連結板の対向する箇所に、第２テンションバーの第２テンション部を円管部と同一軸線上に保持させる一対の掛止片を備え、第２テンションバーの一対の装着部の外方に前記掛止片の各々に掛合する被掛止具が備わっている。これにより、簡便な操作で装着することができ、良好なテンションをかけることができる。
【００２１】
本発明のテンションバー群のみでは良好なテンションをかけられない場合には、第１及び第２テンションバーとは別のテンションバーを、壁装材の搬送経路の上流側又は下流側に更に備えることにより、良好なテンションをかけることが可能となる。例えば、第１及び第２テンションバーの上流側として脚部に装着される脚部テンションバーや、壁装材をスリッターのガイド面部に押し付けるスリッターテンションバー等が挙げられる。
【００２２】
また、本発明の壁紙糊付機本体としては、モータにより連動して回転駆動される複数のローラによりシート状壁装材を所定の経路に沿って移動させつつ、糊桶内の糊を糊付けローラにより前記壁装材の裏面に連続的に塗布する壁紙糊付機本体と、この糊付機本体の後部に着脱可能に装着され、引き入れられる前記壁装材の両縁部を連続的に裁断するスリッター部とを備え、糊付機本体後面に本体幅方向に形成された凹状の装着開口部を備え、スリッター部の前方部が前記凹状の装着開口部内に陥入して取付け可能とするものであれば良い。複数のローラのローラ部有効幅長さについては、壁装材の長さに応じた長さとすれば良いが、近年、コンパクト化が達成するためローラ部有効幅長さを１０００mm以下９２０mm以上としたものであっても良い。
【実施例】
【００２３】
１．全体構成
図１は本発明の一実施例の壁紙糊付機の側面図である。図２はテンションバー群の構成を含む背面側斜視図である。図３はテンションバー群の構成を示す斜視図である。図４は図３のテンションバー群の第１テンションバーの構成を示す斜視図である。図５は図３のテンションバー群の第２テンションバーの構成を示す斜視図である。図６は別のテンションバー群の構成を示す斜視図である。図７は図６のテンションバー群の第１テンションバーの構成を示す斜視図である。図８は図６のテンションバー群の第２テンションバーの構成を示す斜視図である。
【００２４】
図１及び図２に示す通り、この壁紙糊付機は、糊付機本体１と、この糊付機本体１が載置される台座部１５と、糊付機本体１を所定高さで支持するために台座部１５の左右両端下部にそれぞれ前後に二本一対で配される前脚２１と後脚２２とで構成される脚部２とを備える。また、本体１と台座部１５とは、糊付機本体１の両側壁下方の２箇所のフックに各々掛止される掛止錠（パチン錠）で固定される。
【００２５】
糊付機本体１は、糊桶５を主とする下部構体３とその上に開閉可能に載置される上部構体４とによって構成される。下部構体３の一方の側板にはコントローラ（図示せず）が装着され、下部構体３の後面側には着脱可能にスリッター７が配され、上部構体４はこの下部構体３の上部を覆うように配されている。
【００２６】
糊付機の各ローラは、コントローラ内の駆動源（図示せず）の駆動軸によって駆動される。例えば、糊付けローラ３１の回転に伴って、ギアを介して回転運動が伝達された他のローラも回転し、上下部構体３，４間に挟み込まれているクロスＣを後方から前方へ搬送し、その途中で糊付けローラ３１上を搬送される際に糊桶５から引き上げられた糊がクロス裏面に転写塗布される。
【００２７】
この糊付けローラ３１は、下部構体３の左右両側壁面の軸支板に軸支され、できるだけ糊桶５内に沈む下方位置の配置となるように構成されている。また、糊桶５内の糊は糊付けローラ３１に当接する糊上げローラ５１によって行われ、糊上げローラ５１は糊桶５の両側側面に中心より後面側寄りの位置で軸支され、糊桶５内の糊を回転によって掻き上げて糊付けローラ３１に転写する。
【００２８】
糊付けローラ３１は、糊付機本体１に着脱自在に取付けられる駆動源である電動モータを備えたコントローラの駆動軸に連結されている。糊付けローラ３１の回転軸は、下部構体３に配置される下ピンチローラ３２、ドクターローラ３３、均しローラ３４及び上部構体４に配置される検尺ローラとして用いられる上ピンチローラ４１、押さえローラ４２、ドライブローラ４３のうちの所定ローラの回転軸とギアを介して連動される。
【００２９】
均しローラ３４には、図１に示す通り、均しローラ３４を介して送られて来る糊付済のクロスＣを糊付機本体１の前面に案内するためにツメステーに略均等に長手方向に装着されたの複数個のツメ５３が取付けられている。
【００３０】
尚、壁紙糊付機の両側部には、ドクターローラ３３の回動軸に偏心して固定された偏心ギアを駆動するレバー３９を備え、このレバー３９により偏心ギアによって保持されたドクターローラ３３の軸端が糊付けローラ３１と相対移動され、ドクターローラ３３と糊付けローラ３１との相対間隔が変化して、糊付けローラ３１に付着する糊量を調整できるようになっている。
【００３１】
左右一対の脚部２には、クロス受けブラケット２５が回動自在に配されており、クロス受けブラケット２５の先端部には、原反ロールの中心に通されたクロス芯棒２６が軸支されている。
【００３２】
２．テンションバー群構造１
図１及び図２に示す通り、原反ロールから繰り出されるクロスＣは、後脚２２間に脚部テンションバー２８を経て、スリッター７の下方に設置された第１テンションバー６１と第２テンションバー６５とを備えたテンションバー群６で曲折されながら、スリッター７に搬送され、クロスの両側部が切断される。更に、クロスＣをスリッターのガイド面部７２に押し付けるスリッターテンションバー７４によってもテンションがかけられる。
【００３３】
脚部テンションバー２８の装着は、後方に向かって斜め下方に形成されたＵ字溝とその中央に突設された案内突条とが形成された脚部テンションバー保持部２７が後脚２２の対向する各々の位置に形成されており、脚部テンションバー２８の両端に形成された案内溝を案内突条に嵌挿して装着する。この脚部テンションバー２８により、テンションバー群６のみではクロスＣに良好なテンションをかけられない場合でも良好なテンションをかけることが可能となる。
【００３４】
テンションバー群６の第１テンションバー６１は、スリッター７の下方の台座部１５の後面の両側に配設された一対のテンションバー保持具６０の各々に保持される一対の円管部６２と、これら一対の円管部６２の内側に段違い状に配された第１テンション部６３と、一対の円管部６２とテンション部６３とを連結する一対の連結板６４からなる。
【００３５】
テンションバー群６の第２テンションバー６５は、第１テンションバー６１のテンション部６３の両端に装着された一対の装着部６６と、これら装着部６６の間に配され第１テンションバー６１の円管部６２と同一軸線上に配設可能な第２テンション部６７とからなる。
【００３６】
一対の装着部６６は、先端部が開放され、第１テンションバー６１のテンション部６３が嵌合する内径を有する長孔状の嵌合溝６６ａが形成されている。これにより、クロスＣを装着するには、一旦第２テンションバー６５の第２テンション部６７を円管部６２と同一軸線から外して回動させておき（図１破線部）、脚部テンションバー２８，第１テンションバー６１を装着させた後、改めて回動させて第２テンション部６７を円管部６２と同一軸線に装着させた後、スリッター７を介して、糊付機１後方からクロスＣを糊付機本体１に装着させる。これにより、簡便な操作で装着することができる。
【００３７】
第１テンションバー６１の第１テンション部６３は、好ましくは、良好なテンションを与えるために、円管部６２の直下に対して後方に保持する必要がある。そのため、第１テンションバー６１の一対の連結板６４の各々には、糊付機１本体の後脚部２２の後背面に当接する当接片６８を備える。
【００３８】
また、第２テンションバー６５は、第１テンションバー６１の段違いの円管部６２と同一軸線上に配される。このため、この位置で第２テンションバー６５と第１テンションバー６１とを固定するため、好ましくは、第１テンションバー６１の一対の連結板６４の対向する箇所に、第２テンションバー６５の第２テンション部６７を円管部６２と同一軸線上に保持させる掛止手段６９を備えればよい。
【００３９】
具体的な掛止手段６９としては、第１テンションバー６１の一対の連結板６４の対向する箇所に、第２テンションバー６５の第２テンション部６７を円管部６２と同一軸線上に保持させるカップ状の掛止片６９ａを備え、第２テンションバー６５の一対の装着部６６の外方に前記掛止片の各々に掛合する被掛止具６９ｂを備えるようなものであればよい。クロスＣはこれら第１テンションバー６１で曲折され、第２テンションバー６５でも曲折されて、スリッター７に搬送される。
【００４０】
これにより、壁装材の搬送経路が第１テンションバー及び第２テンションバーで大きく屈曲されることになり、良好なテンションをかけることができる。
【００４１】
３．テンションバー群構造２
図６〜図７に示す通り、別のテンションバー群８としても良い。このテンションバー群８は、ステンレス製の金属管とその両端部に樹脂製の継合手段を備える。具体的には、テンションバー群８の第１テンションバー８１は、前述のテンションバー群６と同様に、スリッター７の下方の台座部１５の後面の両側に配設された一対のテンションバー保持具６０の各々に保持される一対の円管部８２と、これら一対の円管部８２の内側に段違い状に配された第１テンション部８３と、一対の円管部８２とテンション部８３とを連結する一対の連結板８４からなる。尚、第１テンション部８３及び円管部８２はステンレス製であり、連結部８４は樹脂製である。
【００４２】
テンションバー群８の第２テンションバー８５は、第１テンションバー８１のテンション部８３の両端に装着された一対の装着部８６と、これら装着部８６の間に配され第１テンションバー８１の円管部８２と同一軸線上に配設可能な第２テンション部８７とからなる。尚、第２テンション部８７はステンレス製であり、装着部８６は樹脂製である。
【００４３】
一対の装着部８６は、先端部が開放され、第１テンションバー８１のテンション部８３が嵌合する内径を有する長孔状の嵌合溝８６ａが形成されている。これにより、クロスＣを装着するには、一旦第２テンションバー８５の第２テンション部８７を円管部８２と同一軸線から外して回動させておき、脚部テンションバー２８，第１テンションバー８１を装着させた後に、改めて、回動させて第２テンション部８７を円管部８２と同一軸線に装着させた後、スリッター７を介して、糊付機１後方からクロスＣを糊付機本体１に装着させる。これにより、簡便な操作で装着することができる。
【００４４】
第１テンションバー８１の第１テンション部８３は、好ましくは、良好なテンションを与えるために、円管部８２の直下に対して後方に保持する必要がある。そのため、第１テンションバー８１の一対の連結板８４の各々には、糊付機１本体の後脚部２２の後背面に当接する当接片８８を備える。
【００４５】
また、第２テンションバー８５は、第１テンションバー８１の段違いの円管部８２と同一軸線上に配される。このため、この位置で第２テンションバー８５と第１テンションバー８１とを固定するため、好ましくは、第１テンションバー８１の一対の連結板８４の対向する箇所に、第２テンションバー８５の第２テンション部８７を円管部８２と同一軸線上に保持させる掛止手段８９を備えればよい。
【００４６】
本実施例において、具体的な掛止手段８９としては、第２テンションバー８５の一対の装着部８６の各々の外方に突設する突設片８９ａを備え、第１テンションバー８１の一対の連結板８４の突設片８９ａに対向する位置に突設片８９ａを保持する保持孔８９ｂを備え、突設片８９ａが保持孔８９ｂに保持された場合に、第２テンションバー８５は、第１テンションバー８１の段違いの円管部８２と同一軸線上に配される。
【００４７】
これにより、壁装材の搬送経路が第１テンションバー及び第２テンションバーで大きく屈曲されることになり、良好なテンションをかけることができる。
【符号の説明】
【００４８】
１  …糊付機本体、
１５  …台座部、
１６  …掛止錠、
２  …脚部、
２１  …前脚、
２２  …後脚、
２５  …クロス受けブラケット、
２６  …クロス芯棒、
２７  …脚部テンションバー保持部、
２８  …脚部テンションバー、
３  …下部構体、
３１  …糊付けローラ、
３２  …下ピンチローラ、
３３  …ドクターローラ、
３４  …均しローラ、
３９  …糊厚調整レバー、
４  …上部構体、
４１  …上ピンチローラ、
４２  …押さえローラ、
４３  …ドライブローラ、
４４  …取手、
５  …糊桶、
５１  …糊上げローラ、
５３  …ツメ、
５５  …スリッター装着開口部、
５８  …被支持部、
５９  …被掛止部、
６  …テンションバー群、
６０  …テンションバー保持具、
６１  …第１テンションバー、
６２  …円管部、
６３  …第１テンション部、
６４  …連結板、
６５  …第２テンションバー、
６６  …装着部、
６６ａ…嵌合溝、
６７  …第２テンション部、
６８  …当接片、
６９  …掛止手段、
６９ａ…掛止片、
６９ｂ…被掛止具、
７  …スリッター、
７１  …駆動軸、
７２  …ガイド面部、
７３  …テンションバー支持具、
７４  …スリッターテンションバー、
７５  …支点、
７６  …回転刃、
７７  …カッターボックス、
７８  …ブラケット、
７９  …耳ガイドカバー、
８  …テンションバー群、
８１  …第１テンションバー、
８２  …円管部、
８３  …第１テンション部、
８４  …連結板、
８５  …第２テンションバー、
８６  …装着部、
８６ａ…嵌合溝、
８７  …第２テンション部、
８８  …当接片、
８９  …掛止手段、
８９ａ…突設片、
８９ｂ…保持孔、
Ｃ  …壁装材（クロス）、
【図１】
0005773779.tif 000002
【図２】
0005773779.tif 000003
【図３】
0005773779.tif 000004
【図４】
0005773779.tif 000005
【図５】
0005773779.tif 000006
【図６】
0005773779.tif 000007
【図７】
0005773779.tif 000008
【図８】
0005773779.tif 000009
【図９】
0005773779.tif 000010